(57)【特許請求の範囲】
【請求項１】
本体側の筐体に、該筐体の蓋体をなす表示部筐体を回動可能に設けた無線通信機能をもつ携帯型の電子機器に於いて、
前記表示部筐体は、
電気伝導体部材と、前記電気伝導体部材に接合され一体化された非電気伝導体部材とにより構成され、
前記表示部筐体内の前記非電気伝導体部材で覆われた位置にアンテナ素子が設けられ、
前記本体側の筐体は、
前記表示部筐体を閉じた状態で覆われる上面にキー操作部およびパームレストを有して、該上面が、電気伝導体部材と、該電気伝導体部材に接合され一体化された非電気伝導体部材とにより構成され、前記表示部筐体を閉じたとき前記アンテナ素子周辺部分に対向する前記パームレストの筐体部分が前記非電気伝導体部材により構成されている
ことを特徴とする電子機器。
【発明の詳細な説明】
【０００１】
【発明の属する技術分野】
本発明は、アンテナ素子を内蔵した、例えばＢｌｕｅｔｏｏｔｈ、ワイヤレスＬＡＮ等の無線通信機能を有する携帯型情報端末等の電子機器に関する。
【０００２】
【従来の技術】
近年、携行が容易なパーソナルコンピュータ（ポータブルコンピュータと称す）に於いては、Ｂｌｕｅｔｏｏｔｈ、ワイヤレスＬＡＮ等の無線機能部を標準装備し、若しくはオプションで装備可能としている。この種、無線通信機能を備えたポータブルコンピュータ、形態情報端末等の機器に於いては、上記無線機能部のアンテナ素子を筐体内の定位置に内蔵して設けることにより使い勝手を向上できる。
【０００３】
この種、アンテナ素子を内蔵した機器として、例えば特開平１１−２６５２５５号（ペン入力型携帯情報端末機）がある。この機器は「良好な通信特性を得るに十分なノイズ発生源からの離間位置にアンテナ素子を配置する」ために、ペン収納空間にアンテナ素子を設けた構成としている。この機器構成に於いては、アンテナ素子の性能（指向性）に変化を及ぼす可能性のある部材が、ペン、及び表示部側の機器筐体であり、ペンに、アンテナ素子の性能に影響を与える磁性金属若しくは非磁性金属を用いておらず、かつ表示部側の筐体を開いたままの状態であれば比較的安定したアンテナ素子の性能を維持することができる。しかしながらペン若しくは表示部側の機器筐体にアンテナ素子の性能に影響を与える金属材料を用いた場合は、ペンを出し入れした場合、若しくは表示部側の機器筐体を開閉操作した際にアンテナ素子の性能（指向性）に影響を与え、アンテナ性能が劣化する虞がある。
【０００４】
上記したように、アンテナ素子を筐体内の定位置に内蔵した機器に於いては、機器の接地電位にある電気伝導体と上記アンテナ素子との距離により特性（特に指向性）が大きく左右される。一般には、アンテナ素子と、電気伝導体との距離がある一定の距離以上に近づいた場合、アンテナの特性が変化し、送受信性能が劣化する。最近では、筐体の堅牢軽量化並びにＥＭＩ（Electromagnetic Interference）対策等を考慮して、電気伝導体であるマグネシウム合金製の筐体を用いる機種が増えているため、上記した特性劣化の対策が必要になっている。特に、パームレスト筐体と、同筐体に回動自在に設けられた蓋体を成す表示部筐体とでなるノート型パーソナルコンピュータ等の機器に於いて、例えばアンテナ素子を表示部筐体に内蔵した場合、上記筐体にマグネシウム合金等の電気伝導体部材を用いると、蓋体となる表示部筐体の回動状態によって上記したアンテナ特性が著しく変化して正常な送受信動作が維持できない不安定な状態を招く虞があった。この際、表示部筐体を閉じた状態では内蔵アンテナを用いた無線通信機能を無効にし、表示部筐体を開いた状態下で内蔵アンテナを用いた無線通信機能を可能とした構成とすることにより、安定した無線通信機能を維持することができる。
【０００５】
しかしながら、近年では、機能の拡充、使用形態の多様性等から、蓋体をなす表示部筐体を閉じた状態であっても安定した無線通信機能を維持することのできる機器構成が要求される。
【０００６】
【発明が解決しようとする課題】
上記したように、従来では、パームレスト筐体と、同筐体に回動自在に設けられた蓋体を成す表示部筐体とでなるノート型パーソナルコンピュータ等の機器に於いて、アンテナ素子を表示部筐体に内蔵した場合、蓋体となる表示部筐体の回動状態によって上記したアンテナ特性が著しく変化して正常な送受信動作が維持できない不安定な状態を招く虞があった。
【０００７】
本発明は上記実情に鑑みなされたもので、機器筐体が、例えばパームレスト筐体と、同筐体に回動自在に設けられた蓋体を成す表示部筐体とでなるノート型パーソナルコンピュータ等の電子機器に於いて、アンテナ素子を表示部筐体に内蔵した場合に、蓋体となる表示部筐体の回動状態によって上記したアンテナ特性が著しく変化して正常な送受信動作が維持できなくなる不安定な状態を回避して、蓋体を閉じた状態を含み、常に安定したアンテナ特性を維持することのできる電子機器を提供することを目的とする。
【０００８】
【課題を解決するための手段】
本発明は、アンテナ素子を内蔵した例えば蓋体をなす筐体と、上記アンテナ素子に近接し離間する例えばパームレスト筐体とでなる機器構成に於いて、上記アンテナ素子周辺部分に位置する筐体部分を例えば非電気伝導体のプラスチック製部品等でなる絶縁体で構成することにより、上記アンテナ素子が例えばマグネシウム合金等の電気伝導体部材をベースとする筐体に近接しても、アンテナ素子と電気伝導体部材との距離を一定の距離以上離間でき、これによりアンテナ素子が筐体の状態変化により性能劣化する不安定要因を排除して、常に安定したアンテナ特性を維持することのできるようにしたことを特徴とする。
【０００９】
即ち、本発明は、筐体内の定位置に設けられたアンテナ素子を使用している状態で別筐体の一部分が上記アンテナ素子に近接し若しくは上記アンテナ素子を覆う状態になり得る構造をなす電子機器に於いて、上記別筐体の一部分を例えば非電気伝導体のプラスチック製部品等の絶縁体部材により構成したことを特徴とする。
【００１０】
また、本発明は、本体と、本体に回動可能に設けられた蓋体と、蓋体に設けられたアンテナ素子とを備えた電子機器であって、上記蓋体のアンテナ素子周辺部分と、上記蓋体を閉じた際に上記アンテナ素子周辺部分に対向する本体の一部分とをそれぞれ絶縁体部材により構成したことを特徴とする。
【００１１】
また、本発明は、パームレスト側の筐体に蓋体をなす表示部筐体を回動可能に設け、表示部筐体にアンテナ素子を設けてなる、無線通信機能をもつ携帯型の電子機器に於いて、上記表示部筐体のアンテナ素子周辺部分と、上記表示部筐体を閉じた際に上記アンテナ素子周辺部分に対向する上記パームレスト側筐体の一部分とを絶縁体部材により構成して、上記表示部筐体を閉じた状態での上記アンテナ素子の性能劣化を防止したことを特徴とする。
【００１２】
また、本発明は、上記電子機器に於いて、絶縁体部材により構成された筐体部分を除く筐体部分を電磁遮蔽効果をもつ部材により構成し、若しくは絶縁体部材を用いた筐体部分を除いて電磁遮蔽効果をもつ室空間を形成してなることを特徴とする。
【００１３】
また、本発明は、無線通信機能をもつ電子機器の筐体構造に於いて、パームレストをなす筐体部の前端部分に絶縁体部材により電磁遮蔽効果をもたない部分を形成したパームレスト側筐体と、上記パームレスト側筐体の後端側を支点に回動自在に設けられ、上記パームレスト側筐体の電磁遮蔽効果をもたない部分に対向する自由端側の部分に絶縁体部材により電磁遮蔽効果をもたない部分を形成して、当該部分にアンテナ素子を内蔵した蓋体をなす表示部筐体とでなることを特徴とする。
【００１４】
また、本発明は、無線通信機能をもつ電子機器の筐体構造に於いて、本体側の筐体に開閉可能な蓋体を有し、上記蓋体にアンテナ素子を内蔵してなる電子機器筐体に於いて、上記蓋体のアンテナ素子周辺部分と、上記蓋体を閉じた際に上記アンテナ素子周辺部分に対向する筐体の一部分とを絶縁体部材により構成したことを特徴とする。
【００１５】
また、本発明は、上記電子機器の筐体構造に於いて、上記絶縁体部材でなる筐体部分を非導電性合成樹脂により構成し、当該合成樹脂で形成される筐体部分を除いた筐体部分うち、少なくとも蓋体の筐体部分をマグネシウム合金により構成したことを特徴とする。
【００１７】
上記した本発明の機器構成により、例えばアンテナ素子を内蔵した蓋体をなす筐体と、上記アンテナ素子が近接し離間するパームレスト側の筐体とでなる機器構成に於いて、上記アンテナ素子が例えばマグネシウム合金等の電気伝導体部材をベースとする筐体に近接しても、アンテナ素子と電気伝導体部材との距離を一定の距離以上離間でき、これによりアンテナ素子が筐体の状態変化により性能劣化する不安定要因を排除して、常に安定したアンテナ特性を維持することができる。
【００１８】
【発明の実施の形態】
以下図面を参照して本発明の実施形態を説明する。
【００１９】
図１乃至図３はそれぞれ本発明の第１実施形態に於ける電子機器の外観構成を示すもので、図１は表面の斜視図、図２は裏面の斜視図、図３は側断面図である。ここでは電子機器として、パームレスト側筐体に蓋体をなす表示部筐体を回動自在に設けた無線通信機能をもつノート型パーソナルコンピュータを例に示している。
【００２０】
図に於いて、１０はパームレスト側筐体、２０はパームレスト側筐体１０の背面側に枢支部３０を介して回動自在に設けられた蓋体をなす表示部筐体である。上記パームレスト側筐体１０には、上面部に、キーボード１１、及び図示しないインジケータ、操作釦等が設けられ、内部に、ＣＰＵ及びその周辺回路群と、無線通信ユニット１２を含む各種の入出力機器等が内蔵される。
【００２１】
蓋体をなす表示部筐体２０には、開放状態にある際に露出する液晶ディスプレイパネル（ＬＣＤパネル）２１が内蔵されるとともに、自由端側に、Ｂｌｕｅｔｏｏｔｈ用若しくはワイヤレスＬＡＮ用のアンテナ素子２２が内蔵される。
【００２２】
この蓋体をなす表示部筐体２０は、上記アンテナ素子２２の実装部周辺を除いた筐体部分２０ａをマグネシウム合金等の電気伝導体部材により構成し、上記アンテナ素子２２の実装部周辺の筐体部分２０ｂを電磁波が透過する非電気伝導体プラスチック等の絶縁体部材により構成している。ここではマグネシウム合金等の電気伝導体部材により構成された筐体部分２０ａを伝導体筐体部分と称し、非電気伝導体プラスチック等の絶縁体部材により構成された筐体部分２０ｂを非伝導体筐体部分と称す。この伝導体筐体部分２０ａと非伝導体筐体部分２０ｂとは嵌め込み若しくは接着等により接合され一体化される。更に伝導体筐体部分２０ａと非伝導体筐体部分２０ｂとの間には必要に応じて電磁遮蔽壁（ｓ）が設けられる。
【００２３】
また、上記パームレスト側筐体１０も上記した表示部筐体２０と同様に、マグネシウム合金等の電気伝導体部材により構成された伝導体筐体部分と、非電気伝導体プラスチック等の絶縁体部材により構成された非伝導体筐体部分とにより構成される。即ち、パームレスト側筐体１０は、表示部筐体２０を閉じた際に当該表示部筐体２０の非伝導体筐体部分２０ｂと対向する筐体面部（パームレスト部）及びその前面部でなる筐体部分１０ｂを電磁波が透過する非電気伝導体プラスチック等の絶縁体部材により構成し、上記筐体部分１０ｂを除いた筐体部分１０ａをマグネシウム合金等の電気伝導体部材により構成している。ここではマグネシウム合金等の電気伝導体部材により構成された筐体部分１０ａを伝導体筐体部分と称し、非電気伝導体プラスチック等の絶縁体部材により構成された筐体部分１０ｂを非伝導体筐体部分と称す。この伝導体筐体部分１０ａと非伝導体筐体部分１０ｂとは上記表示部筐体２０と同様に嵌め込み若しくは接着等により接合され一体化される。更に伝導体筐体部分１０ａと非伝導体筐体部分１０ｂとの間には必要に応じて電磁遮蔽壁（ｓ）が設けられる。
【００２４】
このように、蓋体をなす表示部筐体２０のアンテナ素子２２周辺部分だけでなく、表示部筐体２０を閉じた際にアンテナ素子２２が近づくパームレスト側筐体１０のパームレスト部分も非伝導体筐体構造としたことによって、アンテナ素子２２を内蔵した表示部筐体２０とパームレスト側筐体１０との開閉位置状態の変化に拘わらず、アンテナ素子２２と電気伝導体部材（マグネシウム合金により構成された筐体）との距離を一定の距離以上離間できることから、アンテナ素子２２の指向性を一定に保つことができる。これにより蓋体をなす表示部筐体２０の開閉状態に拘わらず、常に安定したアンテナ特性を維持することができる。
【００２５】
図４及び図５は本発明の第２実施形態によるノート型パーソナルコンピュータの外観構成を示すもので、図４は蓋体をなす表示部筐体を開いた状態を示す斜視図、図５は蓋体をなす表示部筐体を閉じた状態を示す斜視図である。尚、ここでは上記図１乃至図３に示した第１実施形態と同一の筐体部分に同一符号を付してその説明を省略する。
【００２６】
この第２実施形態に於いては、蓋体をなす表示部筐体２０に、開放状態で露出する液晶ディスプレイ（ＬＣＤ）パネルが内蔵されるとともに、当該筐体内の自由端側に、Ｂｌｕｅｔｏｏｔｈ用のアンテナ素子２２ｂ、及びワイヤレスＬＡＮ用のダイバーシティアンテナを構成する２個のアンテナ素子２２ａ，２２ｃが設けられ、これらの各アンテナ素子２２ａ，２２ｂ，２２ｃすべての周辺部分を上記第１実施形態と同様の非伝導体筐体構造としている。即ち、この第２実施形態に於ける表示部筐体２０は、上記複数のアンテナ素子２２ａ，２２ｂ，２２ｃの各実装部周辺を除いた筐体部分２０ａをマグネシウム合金等の電気伝導体部材により構成し、上記各アンテナ素子２２ａ，２２ｂ，２２ｃの実装部周辺の筐体部分２０ｂを電磁波が透過する非電気伝導体プラスチック等の絶縁体部材により構成している。この実施形態に於いてもマグネシウム合金等の電気伝導体部材により構成された筐体部分２０ａを伝導体筐体部分と称し、非電気伝導体プラスチック等の絶縁体部材により構成された筐体部分２０ｂを非伝導体筐体部分と称す。この伝導体筐体部分２０ａと非伝導体筐体部分２０ｂとは上記第１実施形態と同様に嵌め込み若しくは接着等により接合され一体化される。
【００２７】
また、上記パームレスト側筐体１０も上記した表示部筐体２０と同様に、マグネシウム合金等の電気伝導体部材により構成された伝導体筐体部分と、非電気伝導体プラスチック等の絶縁体部材により構成された非伝導体筐体部分とにより構成される。即ち、パームレスト側筐体１０は、表示部筐体２０を閉じた際に当該表示部筐体２０の非伝導体筐体部分２０ｂと対向する筐体上面部（パームレスト部）及びこの部分に連続する筐体前面部でなる筐体部分１０ｂを電磁波が透過する非電気伝導体プラスチック等の絶縁体部材により構成し、上記筐体部分１０ｂを除いた筐体部分１０ａをマグネシウム合金等の電気伝導体部材により構成している。この実施形態に於いてもマグネシウム合金等の電気伝導体部材により構成された筐体部分１０ａを伝導体筐体部分と称し、非電気伝導体プラスチック等の絶縁体部材により構成された筐体部分１０ｂを非伝導体筐体部分と称す。この伝導体筐体部分１０ａと非伝導体筐体部分１０ｂとは上記蓋体をなす表示部筐体２０と同様に嵌め込み若しくは接着等により接合され一体化される。
【００２８】
このように、蓋体をなす表示部筐体２０に複数のアンテナ素子２２ａ，２２ｂ，２２ｃを内蔵した構成に於いても、表示部筐体２０に於ける上記各アンテナ素子２２ａ，２２ｂ，２２ｃの周辺部分と、表示部筐体２０を閉じた際に上記各アンテナ素子２２ａ，２２ｂ，２２ｃが近づくパームレスト側筐体１０のパームレスト部分とをそれぞれ非伝導体筐体構造としたことによって、上記各アンテナ素子２２ａ，２２ｂ，２２ｃを内蔵した表示部筐体２０とパームレスト側筐体１０との開閉位置状態の変化に拘わらず、上記各アンテナ素子２２ａ，２２ｂ，２２ｃと電気伝導体部材（マグネシウム合金により構成された筐体）との距離を一定の距離以上離間できることから、表示部筐体２０に内蔵された全てのアンテナ素子２２ａ，２２ｂ，２２ｃの指向性を一定に保つことができる。これにより蓋体をなす表示部筐体２０の開閉状態に拘わらず、常に安定したアンテナ特性を維持することができる。
【００２９】
図６は本発明の第３実施形態を示すもので、ここでは電子機器として携帯型情報端末を例にとって示している。
【００３０】
この第３実施形態に於ける携帯型情報端末６０は、機器本体側筐体６１と、この機器本体側筐体６１に枢支部６６を介して回動自在に設けられた蓋体をなす表示部筐体６２とにより構成される。
【００３１】
蓋体をなす表示部筐体６２には、開放状態にある際に露出する液晶ディスプレイパネル（ＬＣＤパネル）６４が内蔵されるとともに、自由端側に、例えばＢｌｕｅｔｏｏｔｈ用のアンテナ素子６３が内蔵される。
【００３２】
この蓋体をなす表示部筐体６２は、上記アンテナ素子６３の実装部周辺を除いた筐体部分６２ａをマグネシウム合金等の電気伝導体部材により構成し、上記アンテナ素子６３の実装部周辺の筐体部分６２ｂを電磁波が透過する非電気伝導体プラスチック等の絶縁体部材により構成している。この実施形態に於いても上記マグネシウム合金等の電気伝導体部材により構成された筐体部分６２ａを伝導体筐体部分と称し、非電気伝導体プラスチック等の絶縁体部材により構成された筐体部分６２ｂを非伝導体筐体部分と称す。この伝導体筐体部分６２ａと非伝導体筐体部分６２ｂとは嵌め込み若しくは接着等により接合され一体化される。
【００３３】
また、上記機器本体側筐体６１には、操作入力キー６５を含む各種の操作釦類が設けられる。この上記機器本体側筐体６１も上記した表示部筐体６２と同様に、マグネシウム合金等の電気伝導体部材により構成された伝導体筐体部分と、非電気伝導体プラスチック等の絶縁体部材により構成された非伝導体筐体部分とにより構成される。即ち、機器本体側筐体６１は、表示部筐体６２を閉じた際に当該表示部筐体６２の非伝導体筐体部分６２ｂと対向する筐体部分６１ｂを電磁波が透過する非電気伝導体プラスチック等の絶縁体部材により構成し、上記筐体部分６１ｂを除いた筐体部分６１ａをマグネシウム合金等の電気伝導体部材により構成している。ここではマグネシウム合金等の電気伝導体部材により構成された筐体部分６１ａを伝導体筐体部分と称し、非電気伝導体プラスチック等の絶縁体部材により構成された筐体部分６１ｂを非伝導体筐体部分と称す。この伝導体筐体部分６１ａと非伝導体筐体部分６１ｂとは上記表示部筐体６２と同様に嵌め込み若しくは接着等により接合され一体化される。
【００３４】
このように、蓋体をなす表示部筐体６２のアンテナ素子６３周辺部分だけでなく、表示部筐体６２を閉じた際にアンテナ素子６３が近づく機器本体側筐体６１の端部も非伝導体筐体構造としたことによって、アンテナ素子６３を内蔵した表示部筐体６２と機器本体側筐体６１との開閉位置状態の変化に拘わらず、アンテナ素子６３と電気伝導体部材（マグネシウム合金により構成された筐体）との距離を一定の距離以上離間できることから、アンテナ素子６３の指向性を一定に保つことができる。これにより蓋体をなす表示部筐体６２の開閉状態に拘わらず、常に安定したアンテナ特性を維持することができる。
【００３５】
上記した図６に示す実施形態では機器本体側筐体６１に枢支部６６を介して蓋体をなす表示部筐体６２が回動自在に設けられた構成を例に示しているが、変形例として、例えば蓋体をなす表示部筐体６２を機器本体側筐体６１に上下スライド可能に設けて、蓋体をなす表示部筐体６２をスライド操作することによって開閉できる構成に於いても本発明を適用できる。この際は、蓋体をなす表示部筐体６２を閉じたとき、当該表示部筐体６２のアンテナ素子６３を内蔵した筐体部分６２ｂと重なる、機器本体側筐体６１側の部分を、非電気伝導体プラスチック等の絶縁体部材により構成して（即ち、図６に於いて機器本体側筐体６１の下端側に設けられていた非伝導体筐体部分６１ｂを機器本体側筐体６１の上端側に設けてなる構成として）、蓋体をなす表示部筐体６２が閉じられた状態であってもアンテナ素子６３と電気伝導体部材との距離が一定の距離以上確保できるようにすることで、蓋体をなす表示部筐体６２の開閉状態に拘わらず、常に安定したアンテナ特性を維持することができる。
【００３６】
尚、上記した各実施形態に於いては、非電気伝導体プラスチック等の絶縁体部材により構成されたアンテナ素子周辺の筐体部分を除いた各筐体部分をマグネシウム合金等の電気伝導体部材により構成しているが、例えば筐体の全てを非電気伝導体プラスチック等の絶縁体部材により構成し、上記アンテナ素子周辺の筐体部分を除いた各筐体部分に、例えば電磁シールド部材をコーティング若しくは貼着し、若しくはシールド板を設けて、電磁シールドを施した構成等であってもよく、要は筐体内の定位置に設けられたアンテナ素子を使用している状態で別筐体の一部分が上記アンテナ素子に近接し若しくは上記アンテナ素子を覆う状態になってもアンテナ素子の性能劣化を招くことのない絶縁体部材を用いた筐体構造であればよい。
【００３７】
【発明の効果】
以上詳記したように本発明によれば、機器筐体が、例えばパームレスト筐体と、同筐体に回動自在に設けられた蓋体を成す表示部筐体とでなるノート型パーソナルコンピュータ等の電子機器に於いて、アンテナ素子を表示部筐体に内蔵した場合に、蓋体となる表示部筐体の回動状態によって上記したアンテナ特性が著しく変化して正常な送受信動作が維持できなくなる不安定な状態を回避して、蓋体を閉じた状態を含み、常に安定したアンテナ特性を維持することができる。
【図面の簡単な説明】
【図１】本発明の第１実施形態に於ける電子機器の外観構成を示す斜視図。
【図２】上記第１実施形態に於ける電子機器の外観構成を示す斜視図。
【図３】上記第１実施形態に於ける電子機器の要部の構成を示す断面図。
【図４】本発明の第２実施形態に於ける電子機器の外観構成を示す斜視図。
【図５】上記第２実施形態に於ける電子機器の外観構成を示す斜視図。
【図６】本発明の第３実施形態に於ける電子機器の平面図。
【符号の説明】
１０…パームレスト側筐体
１０ａ…伝導体筐体部分
１０ｂ…非伝導体筐体部分
１１…キーボード
１２…無線通信ユニット
２０…蓋体をなす表示部筐体
２０ａ…伝導体筐体部分
２０ｂ…非伝導体筐体部分
２１…液晶ディスプレイパネル（ＬＣＤパネル）
２２，２２ａ，２２ｂ，２２ｃ…アンテナ素子
ｓ…電磁遮蔽壁
６０…携帯型情報端末
６１…機器本体側筐体
６２…表示部筐体
６２ａ…伝導体筐体部分
６２ｂ…非伝導体筐体部分
６３…アンテナ素子
６４…液晶ディスプレイパネル（ＬＣＤパネル）
６５…操作入力キー
６６…枢支部
【図１】
0004157280.tif 000002
【図２】
0004157280.tif 000003
【図３】
0004157280.tif 000004
【図４】
0004157280.tif 000005
【図５】
0004157280.tif 000006
【図６】
0004157280.tif 000007